(57)【要約】【課題】冷蔵庫の前扉やホワイトボード等のような被磁着面のスペースを有効に利用するようにするとともに、マグネットの使用部位を適宜に変更することにより、その場に応じた最も適切な磁着形態を選択することができるようにしたマグネットを提供する。【解決手段】マグネット本体１１の上面に、被磁着性を有する素材を用いて１枚板状に設けた連結プレート１２を固着した形状に形成され、且つその連結プレート１２は、マグネット本体の上面に載設した形状の中央部１３と、中央部１３から水平状に突設した形状の周縁部１４と、周縁部１４の一端部から所定角度を存して上方へ延設した形状の摘み部１５とを備えた構成とする。【選択図】図１
2011104976.tif 000002
【特許請求の範囲】
【請求項１】
マグネット本体の上面に連結プレートを固着した形状のマグネットであって、前記連結プレートは、被磁着性を有する素材を用いて１枚板状に設けられ、且つ前記マグネット本体の上面に載設した形状の中央部の周囲に水平状の周縁部を突設するとともに、その周縁部の一端部に、所定の角度を存して上方へ延設した形状の摘み部を形成したことを特徴とするマグネット。
【請求項２】
上記連結プレートの中央部の上面に蛍光被膜を施すとともに、上記摘み部を除いた周縁部を水平状に設けずに、マグネット本体を囲むような円弧状に湾曲して形成したことを特徴とする請求項１に記載のマグネット。
【請求項３】
上記周縁部における摘み部と相対向する他端部に、下方に向けてほぼ直角状に垂下した形状の磁着片を設けたことを特徴とする請求項１または請求項２に記載のマグネット。
【請求項４】
上記摘み部に挿通孔を設けるとともに、上記周縁部の他端部周辺に、複数個の滑り止め用突部を設けたことを特徴とする請求項１または請求項２に記載のマグネット。
【発明の詳細な説明】
【技術分野】
【０００１】  本発明は、冷蔵庫やホワイトボードのような被磁着性を有する物品の磁着面（以下、被磁着面と称する）に、紙や写真その他の固定対象物（以下、紙類等と称する）の複数枚を積層状に挟持可能に形成したマグネットに関するものである。
【背景技術】
【０００２】  従来、被磁着面に複数枚の紙類等を積層状に挟持可能に形成したマグネットとしては、ホルダー内に埋設されたマグネットの周囲に複数の平坦な傾斜部を設け、その各傾斜部からそれぞれ挿入した紙類等を、マグネットを中心とした放射状に重ねて挟持するように構成したマグネットホルダーが提案されている（特許文献１参照）。
【先行技術文献】
【特許文献】
【０００３】
【特許文献１】特開２００６−５６１７４号公報
【発明の概要】
【発明が解決しようとする課題】
【０００４】  上記した特許文献１のマグネットホルダーは、被磁着面に磁着する複数枚の紙類等を、マグネットを中心とした放射状に挟持するようになっているので、使用に供される被磁着性物品には広い掲示スペースが要求され、且つ挟持可能な紙類等の枚数も傾斜部の数に限定されるという大きな欠点があるとともに、その複数枚の紙類等の一部が、マグネットと被磁着面との間で密着状に重なった状態で挟持されているので、マグネットホルダーの所有者が、所望する紙類等の挿入作業または離脱作業を行う場合に、既に挟持されている他の紙類等を所定位置から不用意に移動させたり、必要外の紙類等を誤って離脱させてしまうという不具合があった。【０００５】  さらに上記した特許文献１のマグネットホルダーはマグネットを合成樹脂で包んだ形状で、傾斜部による揺動作用に限定されており、常に同一形態で磁着するようになっているので、紙類等の形状や被磁着面における磁着可能スペースなどに対応した多様な形態で使用することができないという問題点もあった。【０００６】  そこで本発明は、個別に分離された複数枚の紙類等が積層状に挟持された形状に構成して、被磁着面のスペースを有効に利用するようにするとともに、マグネットの使用部位を適宜に変更することにより、その場に応じた最も適切な磁着形態を選択することができるようにしたマグネットを提供しようとするものである。
【課題を解決するための手段】
【０００７】  本発明は、上記した課題を解決すべく、以下のような技術的手段を講ずるものである。すなわち請求項１に記載の本発明は、マグネット本体の上面に連結プレートを固着した形状のマグネットであって、前記連結プレートは、被磁着性を有する素材を用いて１枚板状に設けられ、且つ前記マグネット本体の上面に載設した形状の中央部の周囲に水平状の周縁部を突設するとともに、その周縁部の一端部に、所定の角度を存して上方へ延設した形状の摘み部を形成したことを特徴とするマグネットである。【０００８】  請求項２に記載の本発明は、請求項１に記載のマグネットにおいて、上記した連結プレートの中央部の上面に蛍光被膜を施すとともに、上記した摘み部を除いた周縁部を水平状に設けずに、マグネット本体を囲むような円弧状に湾曲して形成したことを特徴とするマグネットである。【０００９】  請求項３に記載の本発明は、請求項１または請求項２に記載のマグネットにおいて、上記した周縁部における摘み部と相対向する他端部に、下方に向けてほぼ直角状に垂下した形状の磁着片を設けたことを特徴とするマグネットである。【００１０】  請求項４に記載の本発明は、請求項１または請求項２に記載のマグネットにおいて、上記した摘み部に挿通孔を設けるとともに、上記した周縁部の他端部周辺に、複数個の滑り止め用突部を設けたことを特徴とするマグネットである。
【発明の効果】
【００１１】  本発明のマグネットは、マグネット本体の上面に被磁着性を有する連結プレートを固着して構成したもので、そのマグネットの複数個を用いて、複数枚の紙類等を積層状に挟着できるようになっている。したがって紙類等の挟着に際しては、冷蔵庫の前扉等における限定されたスペースを使用するようになっているので、前扉等の空いたスペースを、例えば装飾品を取り付けるなどの他の用途に有効活用することができるという特筆すべき効果を奏するばかりでなく、挟着対象の紙類等が１枚ずつ分離された形状で積層されるようになっているので、取り外しが必要な紙類のみを簡易迅速に離脱させることができるという効果も有している。【００１２】  また本発明のマグネットは、マグネット本体以外の摘み部や磁着部を用いて紙類等を挟持することができるので、紙類等の形状や被磁着スペースの状態に応じて、最も適した磁着方法を選択することができるという長所があり、特に磁着片を用いる場合は、被磁着面が極めて小さなスペースであっても、そのスペースに対応して容易に挟着保持することができるという顕著な長所もある。【００１３】  さらに本発明は、紐などを通すための挿通孔や紙類等に対する滑り止め用突部を設けるとともに、蛍光被膜を施してあるので、構造の細部に至るまで利便性の配慮がなされているという特長がある。【００１４】  なおまた本発明品は、紙類等の着脱を行う場合に、摘み部を作用させるのみで簡易に実施することができるとともに、摘み部と被磁着面間に隙間が形成されているので、例えば爪の長い若い女性等でも紙類等の離脱作業を容易に行うことができるという利点がある。
【図面の簡単な説明】
【００１５】
【図１】本発明に成るマグネットの第１実施例を示す斜視図である。
【図２】図１の内側構造を示す断面図である。
【図３】本発明に成るマグネットの第２実施例を示す斜視図である。
【図４】図３の内側構造を示すもので、（イ）は図３のＡ−Ａ線断面図であり、（ロ）は図３のＢ−Ｂ線断面図である。
【図５】本発明に成るマグネットの第３実施例を示す平面図である。
【図６】第３実施例の内側構造を示す断面図で、（イ）は第１実施例の改良型であり、（ロ）は第２実施例の改良型である。
【図７】本発明の使用状態を示す側面図である。
【図８】本発明の使用状態を示す側面図である。
【図９】第３実施例のみに限定した使用状態を示す側面図である。
【発明を実施するための形態】
【００１６】  以下に、本発明を図面に基いて詳細に説明するが、本発明に成るマグネットは、冷蔵庫の前扉やホワイトボードなどのような被磁着面に磁着可能で、且つ比較的小さな円盤状あるいは方形状等に形成されたマグネット本体と、例えば鉄や１８：８ステンレスなどのような被磁着性を有する素材を用いて形成された連結プレートとを備えて成るものである。また本発明においては、マグネットの１個ずつを個別に使用可能なことは勿論であるが、複数個のマグネットと挟着対象の紙類等を交互に積み重ねることにより、複数枚の紙類等を、１枚ずつ分離した形態で積層状に挟着することができるように構成されている。
【実施例１】
【００１７】  図１および図２は本発明の第１実施例を示すものである。
この実施例におけるマグネット１０は、図１に示すように、小型円盤状に設けたマグネット本体１１の上面に、そのマグネット本体の上面形状にほぼ類似し、且つマグネット本体１１の上面よりもやや大きな面積を有する１枚板状の連結プレート１２を固着して成るものである。この場合の連結プレート１２は、マグネット本体１１の上面に載設した形状の中央部１３の周囲に、水平状に突設された周縁部１４を形成するとともに、その周縁部１４の一端部から摘み部１５を延設した形状となっている。またこの周縁部１４における他端部（摘み部１５と相対向する位置）の周辺には、円形状あるいは方形状に設けられた複数個（本発明では３個）の滑り止め用突部１７が取り付けられている。【００１８】  上記した摘み部１５は、図１に示すような略三角形の平面状に形成されるとともに、図２に示すように、ほぼ２０°〜３０°の傾斜角度を存して上方向に延設された形状となっている。この場合の傾斜角度については２０°〜３０°の範囲が最も好適であり、その角度範囲外に設けた場合では、想定する作用効果が得られ難い。なおこの摘み部１５には、本発明のマグネットを紐や釘等に保持するための挿通孔１６が形成されている。
【実施例２】
【００１９】  次に、図３および図４を参照しながら本発明の第２実施例について説明するが、この実施例で使用されるマグネット２０においても、マグネット本体２１の上面に連結プレート２２を固着した構造で、前記第１実施例の場合と大略は同じであるので、構造の異なる部分のみについて説明する。【００２０】  本実施例が第１実施例と異なる点については、まず連結プレート２２の中央部２３の全体に、例えば蛍光カラーシールを貼着したり蛍光塗料を塗布したりすることによる蛍光被膜が施された構造が挙げられる。したがってこの中央部２３については、例えば夜間における取付場所の確認等のような蛍光被膜が及ぼす一般的な作用効果を期待することができる。また前記第１実施例の場合は周縁部１４が水平状に突設された形状となっているが、本実施例では、周縁部２４を、図４（イ）（ロ）に示すように、マグネット本体２１を囲むような円弧状に湾曲して形成している。このように周縁部２４を湾曲状とすることにより磁力返し効果を発揮することができるので、前記第１実施例の場合よりも強力な磁着力が付与された構造となっている。なおこの湾曲状の周縁部２４は、図４に示すように、その下端が、マグネット本体２１の下端よりも上方に位置する形状となっている。
【実施例３】
【００２１】  続いて、図５および図６を参照して本発明の第３実施例を説明する。
この実施例のマグネット３０は、前記第１実施例および第２実施例のマグネットにおける構造の一部を変更し、さらに付加価値の高いものに改良したものである。すなわち各実施例の周縁部１４，２４の他端部（摘み部と相対向する部位）に、下方に向けて直角状に垂下した形状の磁着片３８をそれぞれ形成したものであり、その他の構成部材（マグネット本体３１や摘み部３５等）の形状は、第１、第２実施例の場合とそれぞれ全く同一である。またこの磁着片３８の長さは、その下端がマグネット本体３１の下端とほぼ同位置になる長さに形成されるものとする。【００２２】  本発明は以上のように構成されたものである。したがって本発明は、第１実施例で１種類、第２実施例で１種類、第３実施例で２種類の合計４種類のマグネットを提案するものである。【００２３】  次に、このように構成された本発明の使用例について、第１実施例のマグネット１０を使用する場合を例として、図７，図８を参照して説明する。【００２４】  図７は、冷蔵庫の前扉などの被磁着面Ｆに、マグネット１０の複数個を用いて複数枚の紙類等Ｐを挟着した状態を示すものである。この場合に、まず第１枚目の紙類等Ｐを被磁着面Ｆに密着させ、その紙類等Ｐの上から第１番目のマグネット１０を磁着させる。続いて第２枚目の紙類等Ｐを、第１番目のマグネット１０の連結プレート１２の上面に密着させ、その紙類等Ｐの上から第２番目のマグネット１０を磁着させる。このような方法で紙類等Ｐとマグネット１０を交互に積み重ねるようにすれば、複数枚の紙類等を、１枚ずつ分離した形態で積層状に挟着することができるものである。【００２５】  また挟着した紙類等Ｐを取り外す場合は、一般的には摘み部１５を手に持ってマグネット１０を被磁着面から引き離せば簡単に取り外すことができるが、その他の取り外し操作について図８を参照しながら説明する。すなわち図８（イ）は、紙類等Ｐが被磁着面Ｆとマグネット１０の間に挟着された状態を示している。このような状態において紙類等を離脱させる場合は、摘み部１５を被磁着面Ｆの方向に押して、図８（ロ）に示すように、摘み部１５自体を磁着させるようにすれば、マグネット１０が傾斜状に設定されて、マグネット本体１１と被磁着面Ｆとの間に隙間が形成されるので、紙類等Ｐの挟着状態が解除されるようになっている。【００２６】  さらに本発明のマグネット１０における他の使用例としては、図８（ロ）のような形態で、摘み部１５自体を挟着手段として利用する方法があるが、この場合は、マグネット１０を図示のような傾斜状に常時設定して使用するものである。【００２７】  なおここまでは第１実施例のマグネット１０を使用する場合を例として説明したが、前記した第２実施例のマグネット２０および第３実施例のマグネット３０についても、この第１実施例の場合と全く同様な形態で使用することができる。【００２８】  さらに図９は、第３実施例のマグネット３０のみが独自に使用可能な形態を示すものである。この場合は、マグネット３０の磁着片３８を、被磁着面Ｆに対して、図示のような垂直状または図示しない水平状に磁着した形態である。このような形状の第３実施例のマグネット３０は、面積の小さな被磁着面Ｆに紙類等Ｐを���着する場合などに非常に有効である。【００２９】  なお本発明の各実施例においては、摘み部１５，２５，３５に挿通孔１６，２６，３６を形成するとともに、滑り止め用突部１７，２７，３７を設けるようにしたが、この挿通孔や突部は必須の構成要件ではないので、各実施例において、これらを設けない形状にしても差し支えなく、また第１実施例の中央部１３にも蛍光被膜を施すようにしてもよい。
【符号の説明】
【００３０】１０，２０，３０  マグネット
１１，２１，３１  マグネット本体
１２，２２，３２  連結プレート
１３，２３，３３  中央部
１４，２４，３４  周縁部
１５，２５，３５  摘み部
１６，２６，３６  挿通孔
１７，２７，３７  滑り止め用突部
３８  磁着片
Ｐ  紙類等
Ｆ  被磁着面
【図１】
2011104976.tif 000003
【図２】
2011104976.tif 000004
【図３】
2011104976.tif 000005
【図４】
2011104976.tif 000006
【図５】
2011104976.tif 000007
【図６】
2011104976.tif 000008
【図７】
2011104976.tif 000009
【図８】
2011104976.tif 000010
【図９】
2011104976.tif 000011